(57)【要約】【目的】比較的低価格なカラマツ材を利用し、耐腐朽性に優れた防腐加工材とこれにより作られる屋外用敷板として有用な木製板状構造物を提供する。【構成】表面に複数の切込み３を形成した角柱状のカラマツ材１Ａに、防腐剤９を加圧注入することにより防腐加工材１を得る。そして、係る防腐加工材１を並列に置き、その各端面に打ち付けられる接続金具２で防腐加工材１，・・を連結することにより木製板状構造物を得る。この木製板状構造物は、剛強で耐腐朽性に富み、その耐腐朽性が長期間維持されるので屋外通路の敷板等として有用利用することができる。【選択図】図１
0003103064.tif 000002
【実用新案登録請求の範囲】
【請求項１】
表面に複数の切込みを形成したカラマツ材に、防腐剤を加圧注入することにより得られる防腐加工材。
【請求項２】
カラマツ材が角柱状である請求項１記載の防腐加工材。
【請求項３】
請求項１、又は請求項２に記載した防腐加工材を接続金具で連結することにより構成される木製板状構造物。
【考案の詳細な説明】
【技術分野】
【０００１】
本考案は、防腐加工材および木製板状構造物に係わり、特にカラマツ材を利用した防腐加工材と該加工材から作られる屋外の敷板等として有用な木製板状構造物に関するものである。
【背景技術】
【０００２】
一般に、土木建築材料として種々の木材が多用されるが、その一つとしてカラマツ材が良く知られる。カラマツは、マツ科に属する落葉針葉高木であり、材質は稍堅硬、剛強で脂気が強く耐久・耐湿性を備え、用途は家屋の柱、土台、長押、床框、磨き丸太、屋根板などのほか、基礎杭、建具材、橋梁、電柱、鉄道枕木、船舶など広範に及ぶが、捩れや割裂を生じ易いという欠点をもつ。
【０００３】
又、カラマツは上記のように脂気が強く耐湿性に富むものの、原木を乾燥しただけのものでは、高湿環境下において他の木材と同様に腐朽する。
【０００４】
よって、屋外に設置される柵などの構築材として用いられるカラマツその他の木材にはフェノール類、ナフタリン類、アントラセン類などを含むクレオソート油による防腐加工を施すことが一般的である（例えば、特許文献１）。
【０００５】
【特許文献１】実開昭６１−１７０６７０号公報
【考案の開示】
【考案が解決しようとする課題】
【０００６】
然し乍ら、クレオソート油は主に木材の表面に塗布するだけなので防腐効果の持続性に欠けるという欠点がある。そこで、クレオソート油その他の防腐剤を圧力容器内にて木材の内部に加圧注入するという加圧注入法を採用することもある。
【０００７】
これによれば、木材の内部に防腐剤が含浸されるので一定期間内は防腐性を保てるものの、加圧法による防腐処理では一般に製材をそのまま防腐剤注入用の圧力容器に入れているだけなので、防腐剤が木材の内部深くまで浸透せず表層部分に含浸されるだけあり、このため防腐効果も２〜３年程度の短いものであった。
【０００８】
本考案は以上のようの事情に鑑みて成されたものであり、その目的は比較的低価格なカラマツ材を利用し、耐腐朽性に優れた防腐加工材とこれにより作られる屋外用敷板として有用な木製板状構造物を提供することにある。
【課題を解決するための手段】
【０００９】
上述目的を達成するため、本考案に係る防腐加工材は、表面に複数の切込みを形成したカラマツ材に、防腐剤を加圧注入して成ることを特徴とする。尚、カラマツ材は丸太や偏平な板でもよいが、角柱状であることが好ましい。
【００１０】
又、本考案に係る木製板状構造物は、上記のような防腐加工材を用い、これを接続金具で連結することにより構成されるものである。これによれば、庭園、遊歩道、あるいは桟橋といった屋外通路の敷板等として有効利用することができる。
【考案の効果】
【００１１】
本考案の防腐加工材によれば、カラマツ材を利用することから安価であり、しかもその表面に複数の切込みが形成されることから、カラマツ材の内部深くまで防腐剤を加圧注入することができる。よって、係る防腐加工材はカラマツ自体の耐湿性に加えて優れた防腐効果を長期に亙って維持することができ、更にはカラマツ材の表面に形成される複数の切込みによって高度な美的効果を発現することができる。
【００１２】
又、本考案の木製板状構造物は上記のようなカラマツ製の防腐加工材を連結していることから剛強であり、しかも係る防腐加工材の優れた耐腐朽性により庭園、遊歩道、あるいは桟橋といった屋外通路の敷板等として有効利用することができる。
【考案を実施するための最良の形態】
【００１３】
以下、本考案を図面に基づいて詳しく説明する。図１は本考案に係る木製板状構造物の好適な態様を示した斜視図、図２はその平面図である。図１および図２において、１は並列に置かれた防腐加工材、２はその各防腐加工材を連結する接続金具（本例においてコ字形の鎹）であり、この接続金具２は隣り合う防腐加工材１，１の境界を跨いでその両端面に打ち付けられる。
【００１４】
防腐加工材１は、乾燥したカラマツの原木を縦５〜１０ｃｍ、横１０〜１５ｃｍ、長さ１００〜２００ｃｍ程度の角柱状に製材し、その内部に防腐剤を加圧注入法により加圧注入して含浸せしめたものである。特に、カラマツ材１Ａの表面には図１又は図３に示すようにインサイジング加工による複数の切込み３が形成される。
【００１５】
切込み３は、カラマツ材１Ａの内部に防腐剤を良好に浸透させるために防腐加工前に予め形成されるものであり、これは公知の木工機械などを用いて効率的に形成することができる。
【００１６】
係る切込みの形成例を図４に示して説明すれば、図４において、４は製材用カッタなどが装着される回転軸、５はその回転軸４に製材用カッタなどに代えて並列状に装着される偏平状の歯車、６は木工機械の定盤であり、その定盤６上に所定形状に製材して成るカラマツ材１Ａを載せ、これを歯車５の下でその回転方向に送ることによりカラマツ材１Ａの表面に上述の切込み３を形成することができる。
【００１７】
このように、切込み３は歯車５の歯先などで意図的に形成される点状または筋状の巨視的な窪み孔であり、カラマツ材１Ａに乾燥などによって自然と形成される亀裂とは異なるものである。尚、その一つ一つは深さ及び長さが２〜５ｍｍである。但し、その深さや長さは、カラマツ材１Ａの曲げ強度および曲げヤング率を１０％以上低下させることのない範囲で加工用の歯車５の大きさ、又は高さにより自由に調整することができる。又、歯車５を用いずインサイジング専用の針付ローラを用いることもできる。
【００１８】
一方、そのような切込み３を形成したカラマツ材１Ａに防腐剤を含浸させるには、公知の加圧注入法を利用することができる。図５はその概略図であり、図中７は圧力容器、８はその圧力容器７の内部に防腐剤を圧入するプランジャを示す。ここで、圧力容器７には十分に乾燥したカラマツ材１Ａを積層状態にして導入し、次いで圧力容器７内を真空状態にしつつプランジャ８で圧力容器７内に防腐剤９を充填する。
【００１９】
そして、圧力容器７の内圧を１０Ｋｇ／ｃｍ３程度に保つのであり、これによりカラマツ材１Ａの内部に防腐剤９を加圧注入して含浸させることができる。特に、カラマツ材１Ａに予めインサイジング加工を施して切込み３を形成していることから、それら切込み３を通じてカラマツ材１Ａの内部深くまで防腐剤９を浸透させることができる。従って、本考案の防腐加工材１によれば耐腐朽性に富み、その耐用年数を１０年程度まで延ばすことができる。
【００２０】
尚、防腐剤９は例えばマイトレック（商品名）といって第４級アンモニウム塩類を主成分とするもので、具体的には銅とアルキルアンモニウム化合物から成る水溶性防腐剤であり、この種の防腐剤によれば腐敗菌の繁殖やシロアリを主とする害虫などの食害を防止できる上、毒性が低く安全である。但し、防腐剤としてクレオソート油などを利用することもできる。
【００２１】
ここに、本考案の木製板状構造物（木製デッキプレート）は、以上のようにして得られる防腐加工材１を複数並列に置き（図１に示す例では５本並列）、その各端面に上記のように接続金具２を打ち付けて複数の防腐加工材１を連結することにより構成される。そして、係る木製板状構造物は、敷板として庭園や遊歩道などの地表面上に配置したり、あるいは桟橋の桁材等として利用することができる。
【００２２】
尚、本例において、木製板状構造物は角柱状の防腐加工材１（カラマツ材１Ａ）を連結して表裏両面が平らな矩形とされるが、防腐加工材と成すカラマツ材１Ａを丸太や偏平な板とすることもできる。
【００２３】
又、防腐加工材１を連結する接続金具２として、上記のような鎹ほか各防腐加工材１を横方向に貫く長尺なボルトや釘などを用いることもできる。
【００２４】
以上、本考案について説明したが、係る木製板状構造物は屋外用としてだけでなく、例えば浴室や脱衣場の床板、あるいは建物の壁材などどしても好適に利用できることは言うまでもない。
【図面の簡単な説明】
【００２５】
【図１】本考案に係る木製板状構造物を示す斜視図
【図２】同木製板状構造物の平面図
【図３】同板状構造物を構成する防腐加工材の部分拡大図
【図４】切込みの形成例を示す説明図
【図５】カラマツ材に防腐剤を加圧注入する例を示した説明図
【符号の説明】
【００２６】
１  防腐加工材
１Ａ  カラマツ材
２  接続金具
３  切込み
４  回転軸
５  切込み形成用歯車
６  定盤
７  圧力容器
８  プランジャ
９  防腐剤
【図１】
0003103064.tif 000003
【図２】
0003103064.tif 000004
【図３】
0003103064.tif 000005
【図４】
0003103064.tif 000006
【図５】
0003103064.tif 000007
【手続補正書】
【提出日】平成16年3月17日(2004.3.17)
【手続補正１】
【補正対象書類名】実用新案登録請求の範囲
【補正対象項目名】全文
【補正方法】変更
【補正の内容】
【実用新案登録請求の範囲】
【請求項１】
表面に複数の切込みを形成した角柱状のカラマツ材に、防腐剤を加圧注入することにより得られる防腐加工材。
【請求項２】
角柱状のカラマツ材の長さが１００〜２００ｃｍに設定されている請求項１記載の防腐加工材。
【請求項３】
請求項１、又は請求項２に記載した防腐加工材を接続金具で連結することにより構成される木製板状構造物。
【手続補正２】
【補正対象書類名】明細書
【補正対象項目名】全文
【補正方法】変更
【補正の内容】
【考案の詳細な説明】
【技術分野】
【０００１】
本考案は、防腐加工材および木製板状構造物に係わり、特にカラマツ材を利用した防腐加工材と該加工材から作られる屋外の敷板等として有用な木製板状構造物に関するものである。
【背景技術】
【０００２】
一般に、土木建築材料として種々の木材が多用されるが、その一つとしてカラマツ材が良く知られる。カラマツは、マツ科に属する落葉針葉高木であり、材質は稍堅硬、剛強で脂気が強く耐久・耐湿性を備え、用途は家屋の柱、土台、長押、床框、磨き丸太、屋根板などのほか、基礎杭、建具材、橋梁、電柱、鉄道枕木、船舶など広範に及ぶが、捩れや割裂を生じ易いという欠点をもつ。
【０００３】
又、カラマツは上記のように脂気が強く耐湿性に富むものの、原木を乾燥しただけのものでは、高湿環境下において他の木材と同様に腐朽する。
【０００４】
よって、屋外に設置される柵などの構築材として用いられるカラマツその他の木材にはフェノール類、ナフタリン類、アントラセン類などを含むクレオソート油による防腐加工を施すことが一般的である（例えば、特許文献１）。
【０００５】
【特許文献１】実開昭６１−１７０６７０号公報
【考案の開示】
【考案が解決しようとする課題】
【０００６】
然し乍ら、クレオソート油は主に木材の表面に塗布するだけなので防腐効果の持続性に欠けるという欠点がある。そこで、クレオソート油その他の防腐剤を圧力容器内にて木材の内部に加圧注入するという加圧注入法を採用することもある。
【０００７】
これによれば、木材の内部に防腐剤が含浸されるので一定期間内は防腐性を保てるものの、加圧法による防腐処理では一般に製材をそのまま防腐剤注入用の圧力容器に入れているだけなので、防腐剤が木材の内部深くまで浸透せず表層部分に含浸されるだけあり、このため防腐効果も２〜３年程度の短いものであった。
【０００８】
本考案は以上のようの事情に鑑みて成されたものであり、その目的は比較的低価格なカラマツ材を利用し、耐腐朽性に優れた防腐加工材とこれにより作られる屋外用敷板として有用な木製板状構造物を提供することにある。
【課題を解決するための手段】
【０００９】
上述目的を達成するため、本考案に係る防腐加工材は、表面に複数の切込みを形成した角柱状のカラマツ材に、防腐剤を加圧注入して成ることを特徴とする。尚、カラマツ材は長さ１００〜２００ｃｍに設定することが好ましい。
【００１０】
又、本考案に係る木製板状構造物は、上記のような防腐加工材を用い、これを接続金具で連結することにより構成されるものである。これによれば、庭園、遊歩道、あるいは桟橋といった屋外通路の敷板等として有効利用することができる。
【考案の効果】
【００１１】
本考案の防腐加工材によれば、カラマツ材を利用することから安価であり、しかもその表面に複数の切込みが形成されることから、カラマツ材の内部深くまで防腐剤を加圧注入することができる。よって、係る防腐加工材はカラマツ自体の耐湿性に加えて優れた防腐効果を長期に亙って維持することができ、更にはカラマツ材の表面に形成される複数の切込みによって高度な美的効果を発現することができる。
【００１２】
又、本考案の木製板状構造物は上記のようなカラマツ製の防腐加工材を連結していることから剛強であり、しかも係る防腐加工材の優れた耐腐朽性により庭園、遊歩道、あるいは桟橋といった屋外通路の敷板等として有効利用することができる。
【考案を実施するための最良の形態】
【００１３】
以下、本考案を図面に基づいて詳しく説明する。図１は本考案に係る木製板状構造物の好適な態様を示した斜視図、図２はその平面図である。図１および図２において、１は並列に置かれた防腐加工材、２はその各防腐加工材を連結する接続金具（本例においてコ字形の鎹）であり、この接続金具２は隣り合う防腐加工材１，１の境界を跨いでその両端面に打ち付けられる。
【００１４】
防腐加工材１は、乾燥したカラマツの原木を縦５〜１０ｃｍ、横１０〜１５ｃｍ、長さ１００〜２００ｃｍ程度の角柱状に製材し、その内部に防腐剤を加圧注入法により加圧注入して含浸せしめたものである。特に、カラマツ材１Ａの表面には図１又は図３に示すようにインサイジング加工による複数の切込み３が形成される。
【００１５】
切込み３は、カラマツ材１Ａの内部に防腐剤を良好に浸透させるために防腐加工前に予め形成されるものであり、これは公知の木工機械などを用いて効率的に形成することができる。
【００１６】
係る切込みの形成例を図４に示して説明すれば、図４において、４は製材用カッタなどが装着される回転軸、５はその回転軸４に製材用カッタなどに代えて並列状に装着される偏平状の歯車、６は木工機械の定盤であり、その定盤６上に所定形状に製材して成るカラマツ材１Ａを載せ、これを歯車５の下でその回転方向に送ることによりカラマツ材１Ａの表面に上述の切込み３を形成することができる。
【００１７】
このように、切込み３は歯車５の歯先などで意図的に形成される点状または筋状の巨視的な窪み孔であり、カラマツ材１Ａに乾燥などによって自然と形成される亀裂とは異なるものである。尚、その一つ一つは深さ及び長さが２〜５ｍｍである。但し、その深さや長さは、カラマツ材１Ａの曲げ強度および曲げヤング率を１０％以上低下させることのない範囲で加工用の歯車５の大きさ、又は高さにより自由に調整することができる。又、歯車５を用いずインサイジング専用の針付ローラを用いることもできる。
【００１８】
一方、そのような切込み３を形成したカラマツ材１Ａに防腐剤を含浸させるには、公知の加圧注入法を利用することができる。図５はその概略図であり、図中７は圧力容器、８はその圧力容器７の内部に防腐剤を圧入するプランジャを示す。ここで、圧力容器７には十分に乾燥したカラマツ材１Ａを積層状態にして導入し、次いで圧力容器７内を真空状態にしつつプランジャ８で圧力容器７内に防腐剤９を充填する。
【００１９】
そして、圧力容器７の内圧を１０Ｋｇ／ｃｍ３程度に保つのであり、これによりカラマツ材１Ａの内部に防腐剤９を加圧注入して含浸させることができる。特に、カラマツ材１Ａに予めインサイジング加工を施して切込み３を形成していることから、それら切込み３を通じてカラマツ材１Ａの内部深くまで防腐剤９を浸透させることができる。従って、本考案の防腐加工材１によれば耐腐朽性に富み、その耐用年数を１０年程度まで延ばすことができる。
【００２０】
尚、防腐剤９は例えばマイトレック（商品名）といって第４級アンモニウム塩類を主成分とするもので、具体的には銅とアルキルアンモニウム化合物から成る水溶性防腐剤であり、この種の防腐剤によれば腐敗菌の繁殖やシロアリを主とする害虫などの食害を防止できる上、毒性が低く安全である。但し、防腐剤としてクレオソート油などを利用することもできる。
【００２１】
ここに、本考案の木製板状構造物（木製デッキプレート）は、以上のようにして得られる防腐加工材１を複数並列に置き（図１に示す例では５本並列）、その各端面に上記のように接続金具２を打ち付けて複数の防腐加工材１を連結することにより構成される。そして、係る木製板状構造物は、敷板として庭園や遊歩道などの地表面上に配置したり、あるいは桟橋の桁材等として利用することができる。
【００２２】
尚、本例において、木製板状構造物は角柱状の防腐加工材１（カラマツ材１Ａ）を連結して表裏両面が平らな矩形とされるが、防腐加工材と成すカラマツ材１Ａを丸太や偏平な板とすることもできる。
【００２３】
又、防腐加工材１を連結する接続金具２として、上記のような鎹ほか各防腐加工材１を横方向に貫く長尺なボルトや釘などを用いることもできる。
【００２４】
以上、本考案について説明したが、係る木製板状構造物は屋外用としてだけでなく、例えば浴室や脱衣場の床板、あるいは建物の壁材などどしても好適に利用できることは言うまでもない。
【図面の簡単な説明】
【００２５】
【図１】本考案に係る木製板状構造物を示す斜視図
【図２】同木製板状構造物の平面図
【図３】同板状構造物を構成する防腐加工材の部分拡大図
【図４】切込みの形成例を示す説明図
【図５】カラマツ材に防腐剤を加圧注入する例を示した説明図
【符号の説明】
【００２６】
１  防腐加工材
１Ａ  カラマツ材
２  接続金具
３  切込み
４  回転軸
５  切込み形成用歯車
６  定盤
７  圧力容器
８  プランジャ
９  防腐剤